(57)【要約】【課題】  簡単に通信装置をネットワークに登録できながら、誤登録を抑制できるようにする。【解決手段】  本発明は、登録装置が通信装置をネットワークへ登録するネットワーク登録システムに関する。登録装置（又は通信装置）が、登録処理対象の通信装置が、当該ネットワーク登録システムの登録処理対象となっていることを登録者に確認させるための確認情報に応じた確認情報信号を生成する手段と、確認情報信号を登録者が知覚できるように出力する手段とを備える。通信装置（又は登録装置）が、確認情報出力手段から出力された確認情報の適否を判断可能な適否判断材料情報を提供する手段を備える。【選択図】      図４
2015056850.tif 000002
【特許請求の範囲】
【請求項１】
ネットワークの登録装置が通信装置を上記ネットワークへ登録するネットワーク登録システムにおいて、
上記通信装置及び上記登録装置の一方が、
登録者が登録処理対象としている通信装置が、当該ネットワーク登録システムの登録処理対象となっていることを登録者に確認させるための確認情報に応じた確認情報信号を生成する確認情報生成手段と、
上記確認情報信号を登録者が知覚できるように出力する確認情報出力手段とを備え、
上記通信装置及び上記登録装置の他方が、
上記確認情報出力手段から出力された確認情報の適否を判断可能な適否判断材料情報を提供する適否判断材料情報提供手段を備える
ことを特徴とするネットワーク登録システム。
【請求項２】
上記登録装置が、上記確認情報生成手段及び上記確認情報出力手段を備えると共に、上記通信装置が適否判断材料情報提供手段を備え、
上記確認情報生成手段が生成する確認情報信号に係る確認情報が、登録処理対象となっている通信装置を識別可能な情報である
ことを特徴とする請求項１に記載のネットワーク登録システム。
【請求項３】
上記通信装置が、上記確認情報生成手段及び上記確認情報出力手段を備えると共に、上記登録装置が適否判断材料情報提供手段を備え、
上記確認情報生成手段が生成する確認情報信号に係る確認情報が、登録処理を行っているネットワークを識別可能な情報である
ことを特徴とする請求項１に記載のネットワーク登録システム。
【請求項４】
上記適否判断材料情報提供手段は、上記適否判断材料情報を表示する適否判断材料情報表示部を有することを特徴とする請求項１〜３のいずれかに記載のネットワーク登録システム。
【請求項５】
上記適否判断材料情報提供手段は、上記確認情報に応じた第２の確認情報信号を生成する確認情報生成部と、上記第２の確認情報信号を登録者が知覚できるように出力する確認情報出力部とをさらに有することを特徴とする請求項４に記載のネットワーク登録システム。
【請求項６】
上記通信装置及び上記登録装置が上記確認情報を共有し、
上記確認情報生成手段が、共有する上記確認情報に応じた確認情報信号を生成し、
上記適否判断材料情報提供手段が、共有する上記確認情報を適否判断材料情報として提供する
ことを特徴とする請求項１〜３のいずれかに記載のネットワーク登録システム。
【請求項７】
共有する上記確認情報は、上記通信装置と上記登録装置とが協働して行う登録処理中に生じた共有情報を適用していることを特徴とする請求項６に記載のネットワーク登録システム。
【請求項８】
上記登録装置は、上記登録対象となっている上記通信装置の登録実施又は拒否を判断する第１の登録判断入力手段をさらに備えることを特徴とする請求項１〜７のいずれかに記載のネットワーク登録システム。
【請求項９】
上記通信装置は、登録しようとする上記ネットワークの登録実施又は拒否を判断する第２の登録判断入力手段をさらに備えることを特徴とする請求項１〜８のいずれかに記載のネットワーク登録システム。
【請求項１０】
上記確認情報出力手段は、上記確認情報信号を視覚に訴えるように出力することを特徴とする請求項１〜９のいずれかに記載のネットワーク登録システム。
【請求項１１】
上記確認情報出力手段は、上記確認情報信号を聴覚に訴えるように出力することを特徴とする請求項１〜１０のいずれかに記載のネットワーク登録システム。
【請求項１２】
ネットワークの登録装置が通信装置を上記ネットワークへ登録するネットワーク登録システムにおける通信装置において、
登録者が登録処理対象としている当該通信装置が、上記ネットワーク登録システムの登録処理対象となっていることを登録者に確認させるための確認情報に応じた確認情報信号を生成する確認情報生成手段と、
上記確認情報信号を登録者が知覚できるように出力する確認情報出力手段と
を備えることを特徴とする通信装置。
【請求項１３】
ネットワークの登録装置が通信装置を上記ネットワークへ登録するネットワーク登録システムにおける登録装置において、
上記通信装置の確認情報生成手段が、登録者が登録処理対象としている通信装置が、上記ネットワーク登録システムの登録処理対象となっていることを登録者に確認させるための確認情報に応じた確認情報信号を生成し、上記通信装置の確認情報出力手段が、登録者が知覚できるように出力した確認情報の適否を判断可能な適否判断材料情報を提供する適否判断材料情報提供手段を備えることを特徴とする登録装置。
【請求項１４】
ネットワークの登録装置が通信装置を上記ネットワークへ登録するネットワーク登録システムにおける登録装置において、
登録者が登録処理対象としている上記通信装置が、上記ネットワーク登録システムの登録処理対象となっていることを登録者に確認させるための確認情報に応じた確認情報信号を生成する確認情報生成手段と、
上記確認情報信号を登録者が知覚できるように出力する確認情報出力手段と
を備えることを特徴とする登録装置。
【請求項１５】
ネットワークの登録装置が通信装置を上記ネットワークへ登録するネットワーク登録システムにおける通信装置において、
上記登録装置の確認情報生成手段が、登録者が登録処理対象としている通信装置が、上記ネットワーク登録システムの登録処理対象となっていることを登録者に確認させるための確認情報に応じた確認情報信号を生成し、上記登録装置の確認情報出力手段が、登録者が知覚できるように出力した確認情報の適否を判断可能な適否判断材料情報を提供する適否判断材料情報提供手段を備えることを特徴とする通信装置。
【発明の詳細な説明】
【技術分野】
【０００１】
本発明は、登録装置、通信装置及びネットワーク登録システムに関し、例えば、簡易な外部インタフェースしか備えない通信装置を、無線ネットワークに登録する作業を、ユーザ（登録者）がパソコン等のＩＴ機器を利用することなく簡易に実現する場合に適用し得るものである。
【背景技術】
【０００２】
近年、携帯電話網や公衆無線網等のネットワークに接続する無線通信装置が広く普及している。現状の当該無線通信装置には、ノートパソコン、携帯電話、スマートフォン等のグラフィカルユーザインタフェースを備える通信装置が多いが、今後は、無線センサ装置等の簡易な外部インタフェースしか備えない通信装置（例えば、ボタンや表示ランプ等のみを備える無線組込み通信装置）も広く普及すると考えられる。
【０００３】
このような無線通信装置を無線ネットワークに初めて接続設定するためには、無線通信装置の識別情報や当該無線通信装置を認証するための認証情報を無線ネットワークのアクセスポイント装置（又は認証サーバ）に登録し、また、無線ネットワークの識別情報や、無線ネットワークに参加させるための認証情報を、無線通信装置に登録する必要がある。しかし、このような登録作業は、パソコン等のＩＴ機器やネットワークにあまりなじみのない一般ユーザには煩雑な作業となる。当該無線通信装置を一般家庭においても広く普及させるためには、上記無線通信装置のネットワーク初期接続設定を簡単に実現する方法が必要である。
【０００４】
上記の問題を解決する方法として、特許文献１には、アクセスポイント装置及びネットワークに加入させる端末のボタンを押下するだけで、アクセスポイント装置及び端末間でネットワーク設定のための情報を交換し、簡単にネットワーク登録できる方法が説明されている。
【０００５】
当該方法は、アクセスポイント装置のボタン押下後、任意の期間（初期登録を許す限定受信モード）のみ、新規端末からの登録要求を受け入れることにより、第３者端末の不正な登録を排除する方法である。当該方法では、アクセスポイント装置が備える表示ランプの点滅／点灯によって、現在の通信モード（初期登録を許す限定受信モード／通常時の無線交信モード）を識別することができ、ネットワーク初期設定の完了を知ることができる。
【０００６】
一方、アクセスポイント装置のボタン押下後の任意の期間に、たまたま第３者端末からのみ登録要求があった場合には、アクセスポイント装置は、上記第３者端末を不正に登録してしまう可能性がある。この場合、ユーザは参加端末リストの閲覧等により誤登録を検知し、不正に登録してしまった第３者端末を事後で排除する必要があった。
【先行技術文献】
【特許文献】
【０００７】
【特許文献１】特開２００５−１４２９０７号公報
【発明の概要】
【発明が解決しようとする課題】
【０００８】
しかしながら、近年普及が期待される無線メッシュネットワークにおいては、誤登録してしまった第３者端末の事後排除が課題となる可能性がある。
【０００９】
無線メッシュネットワークは、現在広く普及している無線ＬＡＮ等の（アクセスポイント装置と端末が１対１の通信形態をとる）ネットワークとは異なり、通信装置が任意の隣接ノードと通信リンクを確立し、自律的に最適な通信経路を構築するネットワークである。それ故、無線メッシュネットワークを形成する各通信装置には、任意の隣接ノードといつでも通信リンクを確立できるように、ネットワーク共通の認証情報が設定されることが一般的である。すなわち、従来の１対１の通信形態における誤登録では、当該１対１のリンクを無効にするだけで済み、他の端末への影響が少ないのに対して、無線メッシュネットワークにおける誤登録では、ネットワーク共通の認証情報が誤って接続してしまった第３者端末に漏洩することになるため、他の端末への影響が大きくなる。例えば、ネットワークを形成する全ての正規端末に対して認証情報の更新作業が必要になる。
【００１０】
そのため、簡単にネットワークに登録できながら、誤登録を抑制することができる登録装置、通信装置及びネットワーク登録システムが望まれている。
【課題を解決するための手段】
【００１１】
第１の本発明は、ネットワークの登録装置が通信装置を上記ネットワークへ登録するネットワーク登録システムにおいて、（１）上記通信装置及び上記登録装置の一方が、（１−１）登録者が登録処理対象としている通信装置が、当該ネットワーク登録システムの登録処理対象となっていることを登録者に確認させるための確認情報に応じた確認情報信号を生成する確認情報生成手段と、（１−２）上記確認情報信号を登録者が知覚できるように出力する確認情報出力手段とを備え、（２）上記通信装置及び上記登録装置の他方が、上記確認情報出力手段から出力された確認情報の適否を判断可能な適否判断材料情報を提供する適否判断材料情報提供手段を備えることを特徴とする。
【００１２】
第２の本発明は、ネットワークの登録装置が通信装置を上記ネットワークへ登録するネットワーク登録システムにおける通信装置において、（１）登録者が登録処理対象としている当該通信装置が、上記ネットワーク登録システムの登録処理対象となっていることを登録者に確認させるための確認情報に応じた確認情報信号を生成する確認情報生成手段と、（２）上記確認情報信号を登録者が知覚できるように出力する確認情報出力手段とを備えることを特徴とする。
【００１３】
第３の本発明は、ネットワークの登録装置が通信装置を上記ネットワークへ登録するネットワーク登録システムにおける登録装置において、上記通信装置の確認情報生成手段が、登録者が登録処理対象としている通信装置が、上記ネットワーク登録システムの登録処理対象となっていることを登録者に確認させるための確認情報に応じた確認情報信号を生成し、上記通信装置の確認情報出力手段が、登録者が知覚できるように出力した確認情報の適否を判断可能な適否判断材料情報を提供する適否判断材料情報提供手段を備えることを特徴とする。
【００１４】
第４の本発明は、ネットワークの登録装置が通信装置を上記ネットワークへ登録するネットワーク登録システムにおける登録装置において、（１）登録者が登録処理対象としている上記通信装置が、上記ネットワーク登録システムの登録処理対象となっていることを登録者に確認させるための確認情報に応じた確認情報信号を生成する確認情報生成手段と、（２）上記確認情報信号を登録者が知覚できるように出力する確認情報出力手段とを備えることを特徴とする。
【００１５】
第５の本発明は、ネットワークの登録装置が通信装置を上記ネットワークへ登録するネットワーク登録システムにおける通信装置において、上記登録装置の確認情報生成手段が、登録者が登録処理対象としている通信装置が、上記ネットワーク登録システムの登録処理対象となっていることを登録者に確認させるための確認情報に応じた確認情報信号を生成し、上記登録装置の確認情報出力手段が、登録者が知覚できるように出力した確認情報の適否を判断可能な適否判断材料情報を提供する適否判断材料情報提供手段を備えることを特徴とする。
【発明の効果】
【００１６】
本発明によれば、簡単に通信装置をネットワークに登録できながら、誤登録を抑制することができる。
【図面の簡単な説明】
【００１７】
【図１】第１の実施形態の通信装置の内部構成を示すブロック図である。
【図２】第１の実施形態の登録装置の内部構成を示すブロック図である。
【図３】第１の実施形態のネットワーク登録システムの動作を示すシーケンス図である。
【図４】第１の実施形態のネットワーク登録システムにおける登録されたことを確認させる通知方法の説明図である。
【図５】第２の実施形態の通信装置の内部構成を示すブロック図である。
【図６】第２の実施形態の登録装置の内部構成を示すブロック図である。
【図７】第２の実施形態のネットワーク登録システムにおける登録されたことを確認させる通知方法の説明図である。
【図８】第３の実施形態の通信装置の内部構成を示すブロック図である。
【図９】第３の実施形態の登録装置の内部構成を示すブロック図である。
【図１０】第３の実施形態のネットワーク登録システムにおける登録されたことを確認させる通知方法の説明図である。
【発明を実施するための形態】
【００１８】
（Ａ）第１の実施形態
以下、本発明による登録装置、通信装置及びネットワーク登録システムの第１の実施形態を、図面を参照しながら説明する。第１の実施形態のネットワーク登録システムは、例えば、無線メッシュネットワークにおける無線端末（通信装置）の登録に適用し得るものである。
【００１９】
第１の実施形態は、無線ネットワークの登録装置（例えば、アクセスポイント装置）が出力する信号により、当該無線ネットワークに登録しようとしている通信装置（被登録装置）を識別させることを特徴としている。
【００２０】
（Ａ−１）第１の実施形態の構成
第１の実施形態のネットワーク登録システムは、登録対象の通信装置と、その通信装置を登録する登録装置とを有する。
【００２１】
図１は、第１の実施形態における通信装置の内部構成を示すブロック図である。第１の実施形態における通信装置は、ハードウェア的に各部を構成して接続して構築されたものであっても良く、また、ＣＰＵ、ＲＯＭ、ＲＡＭなどを用いてプログラムを実行することで該当する機能を実現するように構築されたものであっても良く（この場合であっても、後述する受信部や送信部の一部などはハードウェアで構成することを要する）、いずれの構築方法が適用された場合であっても、機能的には、図１で表すことができる。
【００２２】
図１において、第１の実施形態の通信装置１は、初期登録モード起動部１０、ネットワーク登録処理部１１、登録判断入力部１２、ネットワーク情報管理部１３、装置確認情報管理部１４、装置確認情報表示部１５、装置確認情報生成部１６、装置確認情報出力部１７、送信部１８及び受信部１９を有する。
【００２３】
初期登録モード起動部１０は、当該通信装置１が参加するネットワーク情報を新たに設定するための初期登録モードを起動するものである。初期登録モードの起動判断方法は特に限定されるものではない。例えば、工場出荷時の状態で電源がＯＮされることにより、初期登録モード起動部１０は起動されたと判断しても良く、当該通信装置１が備える「起動」ボタンが押下されることにより、初期登録モード起動部１０は起動されたと判断しても良く、「起動」ボタンが押下された状態で電源がＯＮされることにより、初期登録モード起動部１０は起動されたと判断しても良い。初期登録モード起動部１０は、初期登録モードの起動開始メッセージをネットワーク登録処理部１１へ与える。
【００２４】
ネットワーク登録処理部１１は、ネットワークの登録装置２との間で新たに登録処理を実施し、当該ネットワークを、参加しても良いネットワークとして登録するか否かを判断するものである。ネットワーク登録処理部１１は、初期登録モード起動部１０から起動開始メッセージを与えられることにより、ネットワーク登録処理を開始する。ネットワーク登録処理は、例えば、近隣のネットワークに対して参加要求を送信し、近隣のネットワークから参加許可又は拒否の応答を受信することにより実施される。ネットワーク登録処理には、当該通信装置１とネットワークの登録装置２との間の認証処理を伴っても良い。認証処理は、特に限定されるものではない。例えば、共通鍵暗号又は公開鍵暗号に基づく、認証・鍵交換を実施するものであっても良い。ネットワーク登録処理において、当該通信装置１は、装置確認情報管理部１４による装置確認情報を、送信部１８を介してネットワークの登録装置２に与え、また、ネットワークの識別情報等のネットワーク情報が登録装置２から与えられる。
【００２５】
ネットワーク登録処理部１１は、例えば、上記ネットワークから参加許可の応答を受信することにより、上記ネットワークへの登録を判断する。また、ネットワーク登録処理部１１は、例えば、上記ネットワークから参加拒否の応答を受信したときや、参加許可の応答を受信できないときなどに、上記ネットワークの登録処理を中止する。さらに、ネットワーク登録処理部１１は、登録判断入力部１２から、登録実施又は登録拒否のメッセージが与えられることによっても登録の実行又は中止を判断する。
【００２６】
ネットワーク登録処理部１１は、登録を判断したネットワーク情報をネットワーク情報管理部１３へ与える。ここで、ネットワーク情報には、ネットワークの識別情報の他に、ネットワーク情報登録後の再参加時の認証処理に利用する認証情報を含んでいても良い。
【００２７】
ネットワーク情報管理部１３は、当該通信装置１が参加することが登録されたネットワーク情報を管理するものである。ネットワーク情報管理部１３は、ネットワーク登録処理部１１から、参加が許可されたネットワーク情報を与えられることにより、当該ネットワーク情報を管理する。ネットワーク情報は、例えば、ネットワークの識別情報であるが、さらに、ネットワークの認証情報を含んでいても良い。
【００２８】
登録判断入力部１２は、当該通信装置１が、新たに参加するネットワークを登録するか否かを判断するものである。登録判断入力部１２は、例えば、当該通信装置１が備える「登録実施」ボタンが予め決められた期間内に押下されることによって登録実施を判断しても良く、また、登録判断入力部１２は、例えば、「登録実施」ボタンが予め決められた期間までに押下されないこと、若しくは、「登録拒否」ボタンが押下されることによって登録拒否を判断しても良い。登録判断入力部１２は、登録実施、又は、登録拒否のメッセージをネットワーク登録処理部１１へ与える。
【００２９】
装置確認情報管理部１４は、登録者が当該通信装置１を識別するための装置確認情報を管理するものである。装置確認情報は、例えば、ＭＡＣアドレス等の、登録者が当該通信装置１を識別するための識別情報である。装置確認情報管理部１４は、管理する装置確認情報をネットワーク登録処理部１１へ与える。また、装置確認情報管理部１４は、当該通信装置１が装置確認情報出力部１７を備える場合には、管理する装置確認情報を装置確認情報生成部１６へ与える。また、装置確認情報表示部１５が装置確認情報管理部１４からの入力インタフェースを備える場合には、装置確認情報管理部１４は、管理する装置確認情報を装置確認情報表示部１５へ与える。
【００３０】
装置確認情報表示部１５は、当該通信装置１が登録処理を実施したことを、登録者に識別させるための識別情報を表示するものである。表示する識別情報は、例えば、ＭＡＣアドレス等の、登録者が当該通信装置１を識別するための識別情報である。また、表示する識別情報は、例えば、装置確認情報に応じた信号を識別するための識別情報である。さらに、表示する識別情報は、例えば、装置確認情報に応じた信号そのものである。
【００３１】
ここで、装置確認情報に応じた信号は特に限定されるものではない。例えば、当該通信装置１が登録処理を実施したことを、登録者にランプの点灯パターンで識別させる場合には、「この機器はパターン１で光ります。」といった表示や、「この機器は『ピッ、ピッ、ピッ、…』と光ります。」、「この機器はランプが５回点滅します。」といった表示である。また例えば、登録者に音パターンで識別させる場合には、「この機器はパターン１の音が出ます。」といった表示や、「この機器は『ププッ、ププッ、…』と音が鳴ります。」といった表示や、「この機器は『１５番です。』と音声が流れます。」といった表示である。
【００３２】
装置確認情報表示部１５は、例えば、通信装置１に貼り付けられた表示部（シール）であっても良く、通信装置１に添付された書類等に記載された表示部（文章）であっても良い。また、装置確認情報表示部１５が、装置確認情報管理部１４からの入力インタフェースを備えた電気的な表示構成であれば、装置確認情報管理部１４から与えられた装置確認情報、又は、装置確認情報に応じた信号、又は、装置確認情報に応じた信号を識別するための情報を電気的に表示するものである。
【００３３】
装置確認情報生成部１６は、当該通信装置１が登録処理を実施したこと（若しくは実施中であること）を、登録者に識別させるための識別情報を生成するものである。装置確認情報生成部１６は、装置確認情報管理部１４から装置確認情報が与えられ、登録者が当該通信装置１を識別するための信号を生成する。
【００３４】
通信装置１を識別するための信号は、特に限定されるものではない。例えば、登録者にランプの点灯パターンで識別させる場合には、通信装置１を識別するための信号として、通信装置１のＭＡＣアドレス等の識別情報から導出可能な点灯パターンを適用できる。この場合、例えば、ＭＡＣアドレスの下位４ビットに対応する１６個の点灯パターンを予め定義し、いずれかの点灯パターンを規定する出力信号を装置確認情報出力部１７へ与えるようにすれば良い。また例えば、ＭＡＣアドレスの値を、点灯パターン数で除算した余り（＝ｍｏｄ（ＭＡＣアドレス値／点灯パターン数））を求め、その余りに対応する点灯パターンを規定する出力信号を装置確認情報出力部１７へ与えるようにすれば良い。ランプの点灯パターンに代えて、若しくは、ランプの点灯パターンに加えて、音パターンで識別させるようにしても良い。例えば、ＭＡＣアドレスの下位４ビットの１６進表記値を音声データ化し、「１５番です。」（１番から１６番のいずれかの代表として「１５番」を記載している）という音声出力信号を装置確認情報出力部１７へ与えるようにしても良い。
【００３５】
装置確認情報出力部１７は、当該通信装置１が登録処理を実施したこと（若しくは実施中であること）を、登録者に判定させるための信号を出力するものである。装置確認情報出力部１７は、当該装置確認情報出力部１７が保有する出力手段に応じた出力信号が、装置確認情報生成部１６から与えられることにより、上記信号を出力する。上記信号は、例えば、ランプの点灯パターンであっても良く、音パターンや音声であっても良い。また、装置確認情報出力部１７は、出力タイミングが指示される入力インタフェースを備え、出力指示があった場合に直ちに装置確認のための信号を出力するようにしても良い。例えば、装置確認情報出力部１７は、通信装置１に備え付けの「出力」ボタンが押下されたタイミングで、装置確認のための信号を出力する。
【００３６】
当該装置確認情報出力部１７が保有する出力手段としては、ランプや小形の液晶ディスプレイ等の視覚的な出力手段や、ブザーやスピーカ等の聴覚的な出力手段を挙げることができる。
【００３７】
送信部１８は、ネットワークの登録処理において、ネットワーク登録処理部１１から与えられた情報を送信するものである。
【００３８】
受信部１９は、登録処理を実施するネットワークから受信した情報を、ネットワーク登録処理部１１へ与えるものである。
【００３９】
図２は、第１の実施形態における登録装置の内部構成を示すブロック図である。第１の実施形態における登録装置は、ハードウェア的に各部を構成して接続して構築されたものであっても良く、また、ＣＰＵ、ＲＯＭ、ＲＡＭなどを用いてプログラムを実行することで該当する機能を実現するように構築されたものであっても良く（この場合であっても、後述する受信部や送信部の一部などはハードウェアで構成することを要する）、いずれの構築方法が適用された場合であっても、機能的には、図２で表すことができる。
【００４０】
図２において、登録装置２は、初期登録モード起動部３０、通信装置登録処理部３１、通信装置情報管理部３２、装置確認情報生成部３３、装置確認情報出力部３４、登録判断入力部３５、送信部３６及び受信部３７を有する。
【００４１】
初期登録モード起動部３０は、通信装置１の新規接続を許容し、設定するための初期登録モードを起動するものである。初期登録モードの起動判断方法は、特に限定されるものではない。例えば、当該登録装置２が備える「起動」ボタンが押下されることにより、初期登録モード起動部３０が起動されたと判断しても良く、外部装置を介して初期登録モードの起動開始信号を与えられることにより、初期登録モード起動部３０が起動されたと判断しても良い。初期登録モード起動部３０は、初期登録モードの起動開始メッセージを通信装置登録処理部３１へ与える。
【００４２】
通信装置登録処理部３１は、通信装置１との間で新たに登録処理を実施し、当該通信装置１を参加させても良い通信装置として登録するか否かを判断するものである。通信装置登録処理部３１は、初期登録モード起動部３０から起動開始メッセージを与えられることにより、通信装置１の登録処理を実施する。通信装置１の登録処理を、例えば、起動開始メッセージを与えられたときから任意の期間内で実施し、任意の期間の終了後には、実施しないように制御しても良い。また例えば、登録装置２が備える「登録終了」ボタンの押下により、通信装置登録処理の実施を終了するようにしても良い。通信装置登録処理では、例えば、任意の通信装置からの参加要求を受信し、当該通信装置に対して参加許可又は拒否の応答を送信する。通信装置登録処理は、上記通信装置１と当該登録装置２との間の認証処理を伴っても良い。認証処理は、特に限定されるものではない。例えば、共通鍵暗号又は公開鍵暗号に基づく、認証・鍵交換を実施するようにしても良い。通信装置登録処理において、当該登録装置２は、例えばネットワークの識別情報等のネットワーク情報を、送信部３６を介して上記通信装置１に与え、また、上記通信装置１からの装置確認情報を受信部３７を介して取り込む。
【００４３】
通信装置登録処理部３１は、与えられた上記通信装置１の装置確認情報を装置確認情報生成部３３へ与える。
【００４４】
通信装置登録処理部３１は、登録判断入力部３５から登録実施又は登録拒否のメッセージを与えられたときは、上記通信装置１の登録の実行又は中止を判断する。また、上記通信装置１がブラックリストに記載の装置であったり、上記通信装置１との認証処理に失敗したりする場合には、通信装置登録処理部３１は、上記登録判断入力部３５からのメッセージを待たずに登録中止と判断するようにしても良い。
【００４５】
通信装置登録処理部３１は、登録を判断した通信装置１の装置確認情報を通信装置情報管理部３２へ与える。ここで、装置確認情報は、通信装置の識別情報の他に、当該通信装置１からの再参加要求時の認証処理に利用する認証情報を含むようにしても良い。
【００４６】
通信装置情報管理部３２は、当該登録装置２が参加することを許可した通信装置の情報を管理するものである。通信装置情報管理部３２は、通信装置登録処理部３１より与えられた参加を許可した通信装置の情報を管理する。ここで、通信装置の情報とは、例えば、ＭＡＣアドレス等の通信装置を識別する情報であり、さらに、通信装置１を認証するための認証情報を含んでいても良い。
【００４７】
装置確認情報生成部３３は、当該登録装置２が、登録処理中の通信装置１を、登録者に識別させるための識別情報を生成するものである。装置確認情報生成部３３は、通信装置登録処理部３１より、登録処理中の通信装置１の装置確認情報を与えられ、その通信装置１を登録者が識別するための信号を生成する。
【００４８】
通信装置１を識別するための信号は、特に限定されるものではない。例えば、登録者にランプの点灯パターンで識別させる場合には、通信装置のＭＡＣアドレス等の識別情報から導出可能な点灯パターンであっても良い。この場合、例えば、ＭＡＣアドレスの下位４ビツトに対応する１６個の点灯パターンを予め定義し、登録処理中の通信装置のＭＡＣアドレスに対応する点灯パターンを規定する出力信号を装置確認情報出力部３４へ与えるようにしても良い。また例えば、ＭＡＣアドレスの値を点灯パターン数で除算した余りを求め、その余りに対応する点灯パターンを規定する出力信号を装置確認情報出力部３４へ与えるようにしても良い。ランプの点灯パターンに代えて、若しくは、ランプの点灯パターンに加えて、音パターンで識別させるようにしても良い。例えば、ＭＡＣアドレスの下位４ビットの１６進表記値を音声データ化し、「１５番です。」（１番から１６番のいずれかの代表として「１５番」を記載している）という音声出力信号を装置確認情報出力部３４へ与えるようにしても良い。
【００４９】
装置確認情報出力部３４は、当該登録装置２が、登録処理中の通信装置１を、登録者に判定させるための信号を出力するものである。装置確認情報出力部３４は、装置確認情報出力部３４が保有する出力手段に応じた出力信号が、装置確認情報生成部３３より与えられることにより、上記信号を出力する。上記信号は、例えば、ランプの点灯パターンであっても良く、例えば、音パターンや音声信号であっても良い。
【００５０】
登録判断入力部３５は、当該登録装置２が、登録処理中の通信装置１をネットワークに参加しても良い通信装置として登録するか否かを判断するものである。例えば、当該登録装置２が備える「登録実施」ボタンが押下されることにより、登録判断入力部３５は、登録実施を判断するようにしても良く、「登録実施」ボタンが予め決められた期間までに押下されないこと、若しくは、「登録拒否」ボタンが押下されることにより、登録判断入力部３５は、登録拒否を判断するようにしても良い。また、登録判断入力部３５は、外部装置から、登録実施又は拒否の信号を与えられることによって、登録実施又は登録拒否を判断するようにしても良い。登録判断入力部３５は、登録実施又は登録拒否のメッセージを通信装置登録処理部３１へ与える。
【００５１】
送信部３６は、通信装置１の登録処理において、通信装置登録処理部３１から与えられた情報を送信するものである。
【００５２】
受信部３７は、登録処理を実施する通信装置１から受信した情報を、通信装置登録処理部３１へ与えるものである。
【００５３】
（Ａ−２）第１の実施形態の動作
次に、以上のような構成を有する通信装置１と登録装置２とを有する、第１の実施形態のネットワーク登録システム３の動作を説明する。
【００５４】
図３は、ネットワーク登録システム３の動作を示すシーケンス図である。図４は、ネットワーク登録システム３における、登録されたことを確認させる通知方法の説明図である。
【００５５】
第１の実施形態のネットワーク登録システム３における動作は、大きくは、初期登録モードの起動動作（ステップＳ１０１）、登録確認動作（ステップＳ１０２）、ネットワーク接続設定動作（ステップＳ１０３）の３つの動作で構成される。
【００５６】
［ステップＳ１０１］初期登録モードの起動
登録装置２の初期登録モード起動部３０において、初期登録モードの起動が判断され、初期登録モードを開始する。また、通信装置の初期登録モード起動部１０において、初期登録モードの起動が判別され、初期登録モードを開始する。
【００５７】
通信装置１１のネットワーク登録処理部１１と、登録装置２の通信装置登録処理部３１との間で、通信装置１のＭＡＣアドレス等の装置確認情報と、ネットワークの識別情報等のネットワーク情報が交換される。この際、通信装置１及び登録装置２間で認証処理を行なっても良く、この場合において、認証処理に失敗したときは、登録処理を中止する。
【００５８】
［ステップＳ１０２］登録確認
登録装置２の装置確認情報生成部３３において、登録処理中の通信装置１を、登録者に識別させるための識別情報が生成され、生成された信号が装置確認情報出力部３４に出力される。例えば、出力信号は、図４に記載のような表示ランプ（ネーミングは「確認ランプ」）３４Ｌの点灯パターン３４ｐｔｎであり、登録処理中の通信装置１に応じた点灯パターンが、登録装置２の装置確認情報出力部３４を経由して登録者に通知される。
【００５９】
また、登録処理中の通信装置１も装置確認情報出力部１７を備え、登録装置２の装置確認情報出力部３４に出力される信号と同じ信号を出力する機能を有していても良い。図４は、この場合を示している。通信装置１の装置確認情報出力部１７に係る表示ランプ（ネーミングは「確認ランプ」）１７Ｌが、上述した点灯パターン３４ｐｔｎと同じ点灯パターン１７ｐｔｎで点滅する。例えば、通信装置１の表面の一部には、装置確認情報表示部１５として機能するシールが貼付されており、そのシールには、当該通信装置１のＭＡＣアドレスと、登録されたときに点滅する点灯パターン１７ｐｔｎの説明が記述されている。
【００６０】
登録装置２の登録判断入力部３５において、登録処理中の通信装置１を「登録実施」するか、「登録拒否」するかのメッセージが生成され、通信装置登録処理部３１へ与えられる。「登録実施」か「登録拒否」かの判断は、例えば、登録装置２の装置確認情報出力部３４に出力される信号が、現在登録処理中の通信装置１の装置確認情報表示部１５に表示される情報と合致するか否かによってなされる。登録装置２の通信装置登録処理部３１において、参加許可若しくは参加拒否の応答メッセージが生成され、送信部３６を介して、通信装置１へ送信される。
【００６１】
例えば、登録判断入力部３５に関連して「登録実施」ボタンや「登録拒否」ボタンが備えられ、登録者が、登録処理中の通信装置１に応じた点灯パターンが、自己が意図している通信装置１の点灯パターンか否かを装置確認情報の表示に照らして確認して、「登録実施」ボタン又は「登録拒否」ボタンを押下し、これに応じて、登録判断入力部３５が、登録処理中の通信装置１を「登録実施」するか「登録拒否」するかのメッセージを生成するようにしても良い。
【００６２】
通信装置１のネットワーク登録処理部１１において、参加許可若しくは参加拒否の応答メッセージが与えられ、現在登録処理中のネットワークに登録されたか否かが判断される。なお、通信装置１のネットワーク登録処理部１１は、登録判断入力部１２から、登録実施又は登録拒否のメッセージを与えられることにより、登録が実行され、又は、中止されたと判断するようにしても良い。
【００６３】
［ステップＳ１０３］ネットワーク接続設定
登録装置２の通信装置情報管理部３２において、新たに登録された通信装置１の情報が管理される。ここでは、ＭＡＣアドレス等の通信装置を識別する情報の他に、当該通信装置登録後の再参加時の認証処理に利用する認証情報を含んでも良い。
【００６４】
通信装置１のネットワーク情報管理部１３において、登録されたネットワークの情報が管理される。ここでは、ネットワークの識別情報の他に、ネットワーク情報登録後の再参加時の認証処理に利用する認証情報も管理される。
【００６５】
（Ａ−３）第１の実施形態の効果
第１の実施形態によれば、登録処理中の通信装置に表示される当該通信装置を確認するための情報と、無線ネットワークの登録装置が出力する信号とを照らし合わせることにより（図４参照）、当該無線ネットワークに登録しようとしている通信装置が、登録者が意図する無線ネットワークに本当に登録されようとしているか否かを、確認することができる。
【００６６】
これにより、例えば、簡易な外部インタフェースしか備えない通信装置（例えば、ボタンや表示ランプ等のみを備える無線組込み通信装置）を、無線ネットワークに登録する場合でも、登録者がパソコン等のＩＴ機器を利用することなく、誤登録を抑制することができる。
【００６７】
（Ｂ）第２の実施形態
次に、本発明による登録装置、通信装置及びネットワーク登録システムの第２の実施形態を、図面を参照しながら説明する。第２の実施形態のネットワーク登録システムも、例えば、無線メッシュネットワークにおける無線端末（通信装置）の登録に適用し得るものである。
【００６８】
第２の実施形態は、無線ネットワークに登録しようとしている通信装置（被登録装置）が出力する信号により、当該通信装置を登録しようとしている無線ネットワーク（の登録装置）を識別させることを特徴としている。
【００６９】
（Ｂ−１）第２の実施形態の構成
第２の実施形態のネットワーク登録システムも、登録対象の通信装置と、その通信装置を登録する登録装置とを有する。
【００７０】
図５は、第２の実施形態における通信装置の内部構成を示すブロック図であり、上述した第１の実施形態に係る図１との同一、対応部分には同一符号を付して示している。
【００７１】
図５において、第２の実施形態の通信装置１Ａは、初期登録モード起動部１０、ネットワーク登録処理部１１、登録判断入力部１２、ネットワーク情報管理部１３、ネットワーク確認情報生成部２０、ネットワーク確認情報出力部２１、送信部１８及び受信部１９を有する。
【００７２】
以下では、第１の実施形態の通信装置１の内部構成と異なる、ネットワーク登録処理部１１、ネットワーク確認情報生成部２０及びネットワーク確認情報出力部２１について機能を説明する。
【００７３】
ネットワーク登録処理部１１は、第１の実施形態の通信装置１のネットワーク登録処理部１１とほぼ同様であるが、登録装置２Ａから与えられたネットワーク情報をネットワーク確認情報生成部２０へ与える点が第１の実施形態のものと異なる。ネットワーク情報は、例えば、当該ネットワークに割り当てられたネットワークの識別情報であっても良く、また、ネットワークに存在する登録装置２Ａの識別情報（例えば、ＭＡＣアドレス等）であっても良い。
【００７４】
ネットワーク確認情報生成部２０は、当該ネットワークが登録処理したことを、登録者に識別させるための識別情報を生成するものである。ネットワーク確認情報生成部２０は、ネットワーク登録処理部１１よりネットワーク情報が与えられ、登録者が当該ネットワークを識別するための信号を生成する。
【００７５】
登録者がネットワークを識別するための信号は、特に限定されるものではない。例えば、登録者にランプの点灯パターンで識別させる場合には、登録者がネットワークを識別するための信号は、ネットワーク内の登録装置２ＡのＭＡＣアドレス等の識別情報やネットワークの識別情報から、導出可能な点灯パターンであっても良い。ＭＡＣアドレスを参照する場合であれば、例えば、ＭＡＣアドレスの下位４ビットに対応する１６個の点灯パターンを予め定義し、各点灯パターンを規定する出力信号をネットワーク確認情報出力部２１へ与えるようにすれば良い。また例えば、ＭＡＣアドレスの値を点灯パターン数で除算した余りを求め、その余りに対応する点灯パターンを規定する出力信号をネットワーク確認情報出力部２１へ与えるようにしても良い。ランプの点灯パターンに代えて、若しくは、ランプの点灯パターンに加えて、音パターンで識別させるようにしても良い。例えば、ＭＡＣアドレスの下位４ビットの１６進表記値を音声データ化し、「１５番です。」（１番から１６番のいずれかの代表として「１５番」を記載している）という音声出力信号をネットワーク確認情報出力部２１へ与えるようにしても良い。
【００７６】
ネットワーク確認情報出力部２１は、当該ネットワークが登録処理を実施したことを、登録者に判定させるための信号を出力するものである。ネットワーク確認情報出力部２１は、当該ネットワーク確認情報出力部２１が保有する出力手段（例えば、ランプやブザーなど）に応じた出力信号を、ネットワーク確認情報生成部２０より与えられることにより、登録者に判定させるための信号を出力する。この信号は、例えば、ランプの点灯パターンであっても良く、音パターンや音声信号であっても良い。
【００７７】
図６は、第２の実施形態における登録装置の内部構成を示すブロック図であり、上述した第１の実施形態に係る図２との同一、対応部分には同一符号を付して示している。
【００７８】
図６において、第２の実施形態の登録装置２Ａは、初期登録モード起動部３０、通信装置登録処理部３１、通信装置情報管理部３２、ネットワーク確認情報管理部３８、ネットワーク確認情報表示部３９、ネットワーク確認情報生成部４０、ネットワーク確認情報出力部４１、登録判断入力部３５、送信部３６及び受信部３７を有する。
【００７９】
以下では、第１の実施形態の登録装置２の内部構成と異なる、通信装置登録処理部３１、ネットワーク確認情報管理部３８、ネットワーク確認情報表示部３９、ネットワーク確認情報生成部４０及びネットワーク確認情報出力部４１について説明する。
【００８０】
通信装置登録処理部３１は、第１の実施形態における登録装置２の通信装置登録処理部３１とほぼ同様なものであるが、ネットワーク確認情報管理部３８より与えられたネットワーク情報を、送信部３６を介して通信装置１Ａへ与える点が第１の実施形態のものと異なっている。ここで、ネットワーク情報は、例えば、当該ネットワークに割り当てられたネットワークの識別情報であっても良く、当該ネットワーク内に存在する登録装置２Ａの識別情報（例えば、ＭＡＣアドレス等）であっても良い。
【００８１】
ネットワーク確認情報管理部３８は、登録者が当該ネットワークを識別するためのネットワーク確認情報を管理するものである。ネットワーク確認情報は、例えば、当該ネットワークに割り当てられたネットワークの識別情報であっても良く、当該登録装置２Ａの識別情報（例えば、ＭＡＣアドレス等）であっても良い。ネットワーク確認情報管理部３８は、管理するネットワーク確認情報を通信装置登録処理部３１へ与える。また、ネットワーク確認情報管理部３８は、当該登録装置２Ａがネットワーク確認情報出力部４１を備える場合には、管理するネットワーク確認情報をネットワーク確認情報生成部４０へ与える。さらに、ネットワーク確認情報管理部３８は、ネットワーク確認情報表示部３９が、ネットワーク確認情報管理部３８からの入力インタフェースを備える場合には、管理するネットワーク確認情報をネットワーク確認情報表示部３９へ与える。
【００８２】
ネットワーク確認情報表示部３９は、当該ネットワークが登録処理したことを、登録者に識別させるための識別情報を表示するものである。ネットワーク確認情報は、例えば、ネットワークに割り当てられたネットワークの識別情報や、ネットワーク内に存在する登録装置２ＡのＭＡＣアドレス等の識別情報であり、登録者が当該ネットワークを識別するための識別情報である。また例えば、ネットワーク確認情報に応じた信号を識別するための識別情報を、表示又は出力するネットワーク確認情報として適用するようにしても良い。さらに例えば、ネットワーク確認情報に応じた信号そのものを、表示又は出力するネットワーク確認情報として適用するようにしても良い。
【００８３】
当該ネットワーク確認情報に応じた信号は、特に限定されるものではない。例えば、当該ネットワーク（の登録装置２Ａ）が登録処理を実施したことを、登録者にランプの点灯パターンで識別させる場合には、「このネットワークはパターン１で光ります。」といった表示や、「このネットワークは『ピッ、ピッ、ピッ、…』と光ります。」、「このネットワークはランプが５回点滅します。」といった表示である。また例えば、登録者に音パターンで識別させる場合には、「このネットワークはパターン１の音が出ます。」といった表示や、「このネットワークは『ププッ、ププッ、…』と音が鳴ります。」といった表示や、「このネットワークは『１５番です。』と音声が流れます。」といった表示である。
【００８４】
ネットワーク確認情報表示部３９は、例えば、登録装置２Ａに貼り付けられた表示部（シール）であっても良く、登録装置２Ａに添付された書類等に記載された表示部（文章）であっても良い。また、ネットワーク確認情報表示部３９が、ネットワーク確認情報管理部３８からの入力インタフェースを備えた電気的な表示構成であれば、ネットワーク確認情報管理部３８から与えられたネットワーク確認情報、又は、ネットワーク確認情報に応じた信号、又は、ネットワーク確認情報に応じた信号を識別するための情報を電気的に表示するものである。さらにまた、ネットワーク確認情報表示部３９は、例えば、ブラウザを介してアクセス可能なネットワーク保守画面の表示部である。
【００８５】
ネットワーク確認情報生成部４０は、当該ネットワークが登録処理を実施したことを、登録者に識別させるための識別情報を生成するものである。ネットワーク確認情報生成部４０は、ネットワーク確認情報管理部３８より、ネットワーク確認情報が与えられ、登録者が当該ネットワークを識別するための信号を生成する。
【００８６】
登録者が当該ネットワークを識別するための信号は、特に限定されるものではない。例えば、登録者にランプの点灯パターンで識別させる場合には、当該ネットワークを識別するための信号として、登録装置２ＡのＭＡＣアドレスや、ネットワークの識別情報等の識別情報から導出可能な点灯パターンを適用できる。この場合、例えば、識別情報の下位数桁（例えば、識別情報がＭＡＣアドレスであれば下位４ビット；識別情報が文字列であれば最下位の文字）に対応する１６個の点灯パターンを予め定義し、いずれかの点灯パターンを規定する出力信号をネットワーク確認情報出力部４１へ与えるようにしても良い。また例えば、識別情報を数値化した数値を、点灯パターン数で除算した余り（＝ｍｏｄ（識別情報数値／点灯パターン数））を求め、その余りに対応する点灯パターンを規定する出力信号をネットワーク確認情報出力部４１へ与えるようにしても良い。ランプの点灯パターンに代えて、若しくは、ランプの点灯パターンに加えて、音パターンで識別させるようにしても良い。例えば、識別情報の下位数桁を音声データ化し、「１５番です。」（１番から１６番のいずれかの代表として「１５番」を記載している）という音声出力信号をネットワーク確認情報出力部４１へ与えるようにしても良い。
【００８７】
ネットワーク確認情報出力部４１は、当該ネットワークが登録処理したことを、登録者に判定させるための信号を出力するものである。ネットワーク確認情報出力部４１は、当該ネットワーク確認情報出力部４１が保有する出力手段に応じた出力信号が、ネットワーク確認情報生成部４０から与えられることにより、上記信号を出力する。上記信号は、例えば、ランプの点灯パターンであっても良く、音パターンや音声であっても良い。また、ネットワーク確認情報出力部４１は、出力タイミングが指示される入力インタフェースを備えており、出力指示があった場合には、直ちにネットワーク確認のための信号を出力するようにすれば良い。例えば、ネットワーク確認情報出力部４１は、登録装置２Ａに備え付けの「出力」ボタンが押下されたタイミングで、ネットワーク確認のための信号を出力する。
【００８８】
（Ｂ−２）第２の実施形態の動作
次に、以上のような構成を有する通信装置１Ａと登録装置２Ａとを有する、第２の実施形態のネットワーク登録システム３Ａの動作を説明する。
【００８９】
図７は、第２の実施形態のネットワーク登録システム３Ａにおける、登録されたことを確認させる通知方法の説明図である。
【００９０】
第２の実施形態のネットワーク登録システム３Ａにおける動作も、大きくは、初期登録モードの起動動作、登録確認動作、ネットワーク接続設定動作の３つの動作で構成される（上述した図３参照）。このうち、初期登録モードの起動動作及びネットワーク接続設定動作は、上述した第１の実施形態のネットワーク登録システム３の動作と同様である。そこで、以下では、第１の実施形態のネットワーク登録システム３の動作とは異なる登録確認動作のみを説明する。なお、第１の実施形態と相違することを強調するため、第２の実施形態における「登録確認」のステップには、符号Ｓ２０２を用いることとする。
【００９１】
［ステップＳ２０２］登録確認
通信装置１Ａのネットワーク確認情報生成部２０において、登録処理中のネットワークを、登録者に識別させるための識別情報が生成され、生成された信号がネットワーク確認情報出力部２１に出力される。例えば、出力信号は、図７に記載のような表示ランプ（ネーミングは「確認ランプ」）２１Ｌの点灯パターン２１ｐｔｎであり、登録処理中のネットワークに応じた点灯パターンが、通信装置１Ａのネットワーク確認情報出力部２１を経由して登録者に通知される。
【００９２】
また、登録処理中のネットワーク（の登録装置２Ａ）もネットワーク確認情報出力部４１を備え、通信装置１Ａのネットワーク確認情報出力部２１に出力される信号と同じ信号を出力する機能を有していても良い。図７は、この場合を示している。登録装置２Ａのネットワーク確認情報出力部４１に係る表示ランプ（ネーミングは「確認ランプ」）４１Ｌが、上述した点灯パターン２１ｐｔｎと同じ点灯パターン４１ｐｔｎで点滅する。例えば、登録装置２Ａの一側面の一部には、ネットワーク確認情報表示部３９として機能するシールが貼付されており、そのシールには、ネットワークの識別情報としての当該登録装置２ＡのＭＡＣアドレスと、登録されたときに点滅する点灯パターン４１ｐｔｎの説明が記述されている。
【００９３】
なお、登録装置２Ａに対して、保守端末４がケーブル接続されているような場合には、登録者に識別させる識別情報の登録装置２Ａにおける通知動作に代え、若しくは、登録装置２Ａにおける通知動作に加え、保守端末４の表示画面等を用いて識別情報の通知を行うようにしても良い。
【００９４】
登録装置２Ａの登録判断入力部３５において、登録処理中の通信装置１Ａを「登録実施」するか、「登録拒否」するかのメッセージが生成され、通信装置登録処理部３１へ与えられる。「登録実施」か「登録拒否」かの判断は、例えば、通信装置１Ａのネットワーク確認情報出力部２１に出力される信号が、現在登録処理中のネットワークにおける登録装置２Ａのネットワーク確認情報表示部３９に表示される情報と合致するか否かによってなされる。登録装置２Ａの通信装置登録処理部３１において、参加許可若しくは参加拒否の応答メッセージが生成され、送信部３６を介して、通信装置１Ａへ送信される。
【００９５】
通信装置１Ａのネットワーク登録処理部１１において、参加許可若しくは参加拒否の応答メッセージが与えられ、現在登録処理中のネットワークに登録されたか否かが判断される。なお、通信装置１Ａのネットワーク登録処理部１１は、登録判断入力部１２から、登録実施又は登録拒否のメッセージを与えられることにより、登録が実行され、又は、中止されたと判断するようにしても良い。
【００９６】
（Ｂ−３）第２の実施形態の効果
第２の実施形態によれば、登録処理中の無線ネットワークにおける登録装置に表示される当該ネットワークを確認するための情報と、登録処理中の通信装置が出力する信号とを照らし合わせることにより（図７参照）、通信装置が、本当に登録者が意図する無線ネットワークに登録されようとしているか否かを、確認することができる。
【００９７】
これにより、例えば簡易な外部インタフェースしか備えない通信装置（例えば、ボタンや表示ランプ等のみを備える無線組込み通信装置）を、無線ネットワークに登録する場合でも、登録者がパソコン等のＩＴ機器を利用することなく、簡易に誤登録を抑制することができる。
【００９８】
（Ｃ）第３の実施形態
次に、本発明による登録装置、通信装置及びネットワーク登録システムの第３の実施形態を、図面を参照しながら説明する。第３の実施形態のネットワーク登録システムも、例えば、無線メッシュネットワークにおける無線端末（通信装置）の登録に適用し得るものである。
【００９９】
第３の実施形態は、無線ネットワークの登録装置及び通信装置が登録処理による共有する固有の情報を元に出力される信号により、当該通信装置と当該無線ネットワーク間で登録処理がなされていることを識別させることを特徴とする。
【０１００】
（Ｃ−１）第３の実施形態の構成
第３の実施形態のネットワーク登録システムも、登録対象の通信装置（被登録装置）と、その通信装置を登録する登録装置とを有する。
【０１０１】
図８は、第３の実施形態における通信装置の内部構成を示すブロック図であり、上述した第１の実施形態に係る図１との同一、対応部分には同一符号を付して示している。
【０１０２】
図８において、第３の実施形態の通信装置１Ｂは、初期登録モード起動部１０、ネットワーク登録処理部１１、登録判断入力部１２、ネットワーク情報管理部１３、登録確認情報生成部２２、登録確認情報出力部２３、送信部１８及び受信部１９を有する。
【０１０３】
以下では、第１の実施形態の通信装置１の内部構成と異なる、ネットワーク登録処理部１１、登録確認情報生成部２２及び登録確認情報出力部２３について機能を説明する。
【０１０４】
ネットワーク登録処理部１１は、第１の実施形態における通信装置１のネットワーク登録処理部１１とほぼ同様であるが、登録処理において、登録装置２Ｂとの間で共有する固有の情報を登録確認情報として登録確認情報生成部２２へ与える点が第１の実施形態のものと異なる。登録確認情報は、例えば、通信装置１Ｂの識別情報や登録装置２Ｂの識別情報であっても良く、また、ネットワークの識別情報であっても良い。さらに、登録確認情報は、例えば、認証処理中に鍵交換によって生成された共有鍵であっても良く、通信装置１Ｂ又は登録装置２Ｂが生成し、他方の装置へ送信することで共有した乱数情報であっても良い。さらにまた、登録確認情報は、例えば、通信装置１Ｂに備え付けのボタンを押下した回数を、登録装置２Ｂに送付することで共有するカウント値であっても良い。また、登録確認情報は、上記の情報の組み合わせや、上記情報を入力として変換した値であっても良い。
【０１０５】
登録確認情報生成部２２は、当該通信装置１Ｂと登録処理中のネットワークとが登録処理していることを、登録者に識別させるための識別情報を生成するものである。登録確認情報生成部２２は、ネットワーク登録処理部１１から登録確認情報を与えられ、当該通信装置と上記ネットワークとが登録処理していることを登録者が識別するための信号を生成する。
【０１０６】
登録者が識別するための信号は、特に限定されるものではない。例えば、登録者にランプの点灯パターンで識別させる場合には、登録確認情報から導出可能な点灯パターンであっても良い。この場合、例えば、登録確認情報が「３」という値を持つ場合、ランプを３回点滅させても良い。また例えば、登録確認情報のハッシュ値やｍｏｄ値に対応する有限個の点灯パターンを予め定義しておき、今回の登録確認情報に対応する点灯パターンに応じた出力信号を登録確認情報出力部２３へ与えるようにしても良い。また例えば、ランプの点灯パターンに代え若しくは加え、音パターンで識別させるようにしても良い。例えば、登録確認情報を音声化し、「１５回です。」という音声出力信号を登録確認情報出力部２３へ与えるようにしても良い。
【０１０７】
登録確認情報出力部２３は、当該通信装置１Ｂと登録処理中のネットワークとが登録処理していることを、登録者に識別させるための信号を出力するものである。登録確認情報出力部２３は、当該登録確認情報出力部２３が保有する出力手段に応じた出力信号を、登録確認情報生成部２２より与えられることにより、上記信号を出力する。上記信号は、例えば、ランプの点灯パターンや音パターンや音声である。
【０１０８】
図９は、第３の実施形態における登録装置の内部構成を示すブロック図であり、上述した第１の実施形態に係る図２との同一、対応部分には同一符号を付して示している。
【０１０９】
図９において、登録装置２Ｂは、初期登録モード起動部３０、通信装置登録処理部３１、通信装置情報管理部３２、登録判断入力部３５、登録確認情報生成部４２、登録確認情報出力部４３、送信部３６及び受信部３７を有する。
【０１１０】
以下では、第１の実施形態の登録装置２の内部構成と異なる通信装置登録処理部３１、登録確認情報生成部４２及び登録確認情報出力部４３について説明する。
【０１１１】
通信装置登録処理部３１は、第１の実施形態の登録装置２の通信装置登録処理部３１とほぼ同様であるが、登録処理において、通信装置１Ｂとの間で共有する固有の情報を登録確認情報として登録確認情報生成部４２へ与える点が異なる。登録確認情報は、例えば、通信装置１Ｂの識別情報や登録装置２Ｂの識別情報であっても良く、また、ネットワークの識別情報であっても良い。また、登録確認情報は、認証処理中に鍵交換によって生成された共有鍵であっても良く、通信装置１Ｂ又は登録装置２Ｂが生成し、他方の装置へ送信することで共有した乱数情報であっても良い。登録確認情報は、例えば、登録装置２Ｂに備え付けのボタンを押下した回数を、通信装置１Ｂに送付することで共有するカウント値であっても良い。また、登録確認情報は、上記の情報の組み合わせや、上記情報を入力として変換した値であっても良い。
【０１１２】
登録確認情報生成部４２は、当該登録装置２Ｂと登録処理中の通信装置１Ｂとが登録処理していることを、登録者に識別させるための識別情報を生成するものである。登録確認情報生成部４２は、通信装置登録処理部３１から登録確認情報を与えられ、当該登録装置２Ｂと通信装置１Ｂとが登録処理していることを登録者が識別するための信号を生成する。
【０１１３】
この信号は、図８に記載の通信装置１Ｂの登録確認情報生成部２２で生成される信号と同じであっても良い。
【０１１４】
登録確認情報出力部４３は、当該登録装置２Ｂと登録処理中の通信装置１Ｂとが登録処理していることを、登録者に識別させるための信号を出力するものであり、図８に記載の通信装置１Ｂの登録確認情報出力部２３と同様の動作をする。
【０１１５】
（Ｃ−２）第３の実施形態の動作
次に、以上のような構成を有する通信装置１Ｂと登録装置２Ｂとを有する、第３の実施形態のネットワーク登録システム３Ｂの動作を説明する。
【０１１６】
図１０は、第３の実施形態のネットワーク登録システム３Ｂにおける、登録されたことを確認させる通知方法の説明図である。
【０１１７】
第３の実施形態のネットワーク登録システム３Ｂにおける動作も、大きくは、初期登録モードの起動動作、登録確認動作、ネットワーク接続設定動作の３つの動作で構成される（上述した図３参照）。このうち、ネットワーク接続設定動作は、上述した第１の実施形態のネットワーク登録システム３の動作と同様である。そこで、以下では、第１の実施形態のネットワーク登録システム３の動作とは異なる初期登録モードの起動動作及び登録確認動作のみを説明する。なお、第１の実施形態と相違することを強調するため、第２の実施形態における「初期登録モードの起動」及び「登録確認」のステップにはそれぞれ、符号Ｓ３０１、Ｓ３０２を用いることとする。
【０１１８】
［ステップＳ３０１］初期登録モードの起動
第１の実施形態における初期登録モードの起動動作（ステップＳ１０１）に加えて、通信装置１Ｂのネットワーク登録処理部１１と登録装置２Ｂの通信装置登録処理部３１との間で登録確認情報を共有することが行われる。登録確認情報は、上述したように、例えば、通信装置１Ｂと登録装置２Ｂとの間の認証・鍵交換処理によって生成された共有鍵であっても良く、通信装置１Ｂ又は登録装置２Ｂが生成し、他方の装置へ送信することで共有した乱数情報であっても良い。また、登録確認情報は、上述したように、例えば、通信装置１Ｂに備え付けのボタンを押下した回数を、登録装置２Ｂに送付することで共有するカウント値であっても良い。さらに、登録確認情報は、上述したように、上記情報の組み合わせや、上記情報を入力として変換した値であっても良い。
【０１１９】
図１０は、通信装置１Ｂに備え付けのボタンを押下した回数を、登録装置２Ｂに送付することでカウント値（回数）を共有する場合を示している。
【０１２０】
通信装置１Ｂは、登録確認情報生成部２２の構成要素として「確認」ボタン２２Ｂを有し、この「確認」ボタン２２Ｂが押下された回数に応じた点灯パターンの登録確認情報を生成して登録確認情報出力部２３に与え、登録確認情報出力部２３は自己が備える「確認」ランプ２３Ｌを与えられた登録確認情報の点灯パターン２３ｐｔｎで点滅する。
【０１２１】
通信装置１Ｂのネットワーク登録処理部１１は、「確認」ボタン２２Ｂの押下回数を、送信部１８を介して登録装置２Ｂに送信する。登録装置２Ｂの通信装置登録処理部３１が、受信部３７を介して、「確認」ボタン２２Ｂの押下回数を受信することにより、登録確認情報を、通信装置１Ｂ及び登録装置２Ｂが共有する。
【０１２２】
［ステップＳ３０２］登録確認
登録装置２Ｂの登録確認情報生成部４２において、登録処理中の通信装置１Ｂ及びネットワークを、登録者に識別させるための識別情報が生成され、生成された信号が登録確認情報出力部４３に出力される。例えば、出力信号は、図１０に記載のような「確認」ランプ４３Ｌの点灯パターン４３ｐｔｎであり、登録処理中に通信装置１Ｂに備え付けの「確認」ボタン２２Ｂを押下した回数に応じた点灯パターン４３ｐｔｎが、登録装置２Ｂの登録確認情報出力部４３を経由して登録者に通知される。
【０１２３】
ここで、上述したように、登録処理中の通信装置１Ｂも登録確認情報出力部２３を備え、登録装置２Ｂの登録確認情報出力部４３に出力される信号と同じ信号を出力する機能を有していることが好ましい。
【０１２４】
登録装置２Ｂの登録確認情報生成部４２が生成する登録確認情報は、上述したように、ボタンの押下回数に限定されない。例えば、登録確認情報が通信装置１Ｂと登録装置２Ｂとの認証・鍵交換処理によって共有された鍵情報であり、この鍵情報に応じた点灯パターンが、登録装置２Ｂの登録確認情報出力部４３、及び、通信装置１Ｂの登録確認情報出力部２３へ出力されるようにしても良い。
【０１２５】
なお、通信装置１Ｂの登録確認情報出力部２３に出力される信号と、登録装置２Ｂの登録確認情報出力部４３に出力される信号は必ずしも完全に同じである必要はなく（対応していることは要する）、例えば、通信装置１Ｂの登録確認情報出力部２３では、表示ランプが５回点滅し、登録装置２Ｂの登録確認情報出力部４３では、「ランプが５回点滅します。」と音声で知らせたり、テキスト表示したりしても良い。上述した第１の実施形態や第２の実施形態も、この点は同様である。
【０１２６】
登録装置２Ｂの登録判断入力部３５において、登録処理中の通信装置１Ｂを「登録実施」するか、「登録拒否」するかのメッセージが生成され、通信装置登録処理部３１へ与えられる。この登録有無の判断は、例えば、通信装置１Ｂの登録確認情報出力部２３に出力される信号が、現在登録処理中のネットワークの登録装置２Ｂの登録確認情報出力部４３に出力される情報と一致するか否かによって登録者が行い、通信装置登録処理部３１へ入力するようにしても良い。登録装置２Ｂの通信装置登録処理部３１において、参加許可若しくは参加拒否の応答メッセージが生成され、送信部３６を介して通信装置１Ｂへ送信される。
【０１２７】
通信装置１Ｂのネットワーク登録処理部１１において、参加許可若しくは参加拒否の応答メッセージが与えられ、現在登録処理中のネットワークへ登録出来たか否かが判断される。また、通信装置１Ｂのネットワーク登録処理部１１は、登録判断入力部１２より、登録実施又は登録拒否のメッセージを与えられることにより、登録の実行又は中止を判断しても良い。
【０１２８】
（Ｃ−３）第３の実施形態の効果
第３の実施形態によれば、登録処理中の無線ネットワークの登録装置及び通信装置が登録処理により共有する固有の情報を元に出力される信号により、当該通信装置と当該無線ネットワークとが本当に登録処理を行っているか否かを、登録書が確認することができる。
【０１２９】
これにより、例えば簡易な外部インタフェースしか備えない通信装置（例えば、ボタンや表示ランプ等のみを備える無線組込み通信装置）を、無線ネットワークに登録する場合でも、登録者がパソコン等のＩＴ機器を利用することなく、簡易に誤登録を抑制することができる。
【０１３０】
（Ｄ）他の実施形態
上記各実施形態の説明においても、種々変形実施形態に言及したが、さらに以下に例示するような変形実施形態を挙げることができる．
上記実施形態では、登録者による登録確認の判断は、無線ネットワークの登録装置が、通信装置を無線ネットワークに参加させても良いかどうかを判断する前に行ったが、これに限定するものではない。
【０１３１】
例えば、無線ネットワークに一度参加させた後で、登録確認の判断を行うようにしても良い。この場合、ネットワークの参加によって通信装置に認証鍵等の秘密情報を既に付与してしまった場合には、登録拒否を判断することで、上記認証鍵等の秘密情報を無効にしたり、上記無線ネットワークに参加する他の通信装置に対して鍵更新処理を実施したりすることを、登録拒否の判断に伴って実施するようにしても良い。
【０１３２】
上記各実施形態の説明では、装置確認情報、ネットワーク確認情報、登録確認情報を出力するタイミングを厳密には説明しなかったが、登録処理中であればタイミングは限定されるものではない。例えば、通信装置又は登録装置に設けられた「出力」ボタンの押下時に出力するようにしても良く、登録処理の予め定められているフェーズにおいて自動的に出力するようにしても良い。後者の場合において、例えば、登録要件を満足しているときに移行する仮登録というフェーズを設け、仮登録フェーズで出力し、出力後、所定時間以内に「登録中止」が指示されない場合に本登録を行うようにしても良い。
【０１３３】
上記第１及び第２の実施形態では、照らし合わせるための装置確認情報又はネットワーク確認情報の提供を表示で行うものを示したが、発音出力など、他の提供方法を適用するようにしても良い。
【０１３４】
上記第３の実施形態では、共通な登録確認情報を登録装置及び通信装置が出力するものを示したが、これに加え、第１の実施形態や第２の実施形態に記載のような装置確認情報やネットワーク確認情報をも出力するようにしても良い。
【０１３５】
本発明は、無線メッシュネットワークに適用した場合の課題に鑑みなされたものであるが、本発明における技術思想は、無線メッシュネットワーク以外のネットワーク（無線ネットワークに限定されない）に対しても適用することができる。
【符号の説明】
【０１３６】
１、１Ａ、１Ｂ…通信装置、
１０…初期登録モード起動部、１１…ネットワーク登録処理部、１２…登録判断入力部、１３…ネットワーク情報管理部、１４…装置確認情報管理部、１５…装置確認情報表示部、１６…装置確認情報生成部、１７…装置確認情報出力部、１８…送信部、１９…受信部、２０…ネットワーク確認情報生成部、２１…ネットワーク確認情報出力部、２２…登録確認情報生成部、２３…登録確認情報出力部、
２、２Ａ、２Ｂ…登録装置、
３０…初期登録モード起動部、３１…通信装置登録処理部、３２…通信装置情報管理部、３３…装置確認情報生成部、３４…装置確認情報出力部、３５…登録判断入力部、３６…送信部、３７…受信部、３８…ネットワーク確認情報管理部、３９…ネットワーク確認情報表示部、４０…ネットワーク確認情報生成部、４１…ネットワーク確認情報出力部、４２…登録確認情報生成部、４３…登録確認情報出力部。
【図１】
2015056850.tif 000003
【図２】
2015056850.tif 000004
【図３】
2015056850.tif 000005
【図４】
2015056850.tif 000006
【図５】
2015056850.tif 000007
【図６】
2015056850.tif 000008
【図７】
2015056850.tif 000009
【図８】
2015056850.tif 000010
【図９】
2015056850.tif 000011
【図１０】
2015056850.tif 000012